(57)【要約】【課題】遊技機側固定部から取り外す必要がなく、肘置き部材とアーム部材を容易かつ迅速に退避位置に移動可能な使い勝手の良い肘掛け装置を提供する。【解決手段】遊技機側固定部９に取付けられる肘掛け装置に於て、遊技機側固定部９に固着される取付部材１と、使用者が肘を載置する肘置き部材５が取着されるアーム部材３と、を備え、さらに、取付部材１に鉛直状軸心Ｌａ廻りに首振自在に枢支される接続部材２を備え、接続部材２にアーム部材３が水平状軸心Ｌｂ廻りに揺動自在に枢着している。【選択図】図３
2015029514.tif 000002
【特許請求の範囲】
【請求項１】
遊技機側固定部（９）に取付けられる肘掛け装置に於て、
上記遊技機側固定部（９）に固着される取付部材（１）と、使用者が肘を載置する肘置き部材（５）が取着されるアーム部材（３）と、を備え、
さらに、上記取付部材（１）に鉛直状軸心（Ｌａ）廻りに首振自在に枢支される接続部材（２）を備え、該接続部材（２）に上記アーム部材（３）が水平状軸心（Ｌｂ）廻りに揺動自在に枢着されたことを特徴とする肘掛け装置。
【請求項２】
上記接続部材（２）が所定の首振角度（α）で位置決め可能な首振位置決め手段（６）を備え、
上記首振位置決め手段（６）は、上記取付部材（１）及び上記接続部材（２）の一方に設けられ上記鉛直状軸心（Ｌａ）廻りに配設される複数の首振用凹部（61）（61）（61）と、上記取付部材（１）及び上記接続部材（２）の他方に設けられ上記首振用凹部（61）に係合する首振用凸部（62）と、を備えた請求項１記載の肘掛け装置。
【請求項３】
上記アーム部（３）が所定の揺動角度（β）で位置決め可能な揺動位置決め手段（７）を備え、
上記揺動位置決め手段（７）は、上記アーム部材（３）に上記水平状軸心（Ｌｂ）に廻りに配設される揺動用凹凸部（73）と、上記接続部材（２）に設けられ該揺動用凹凸部（73）に係止して上記アーム部材（３）の手前下方への揺動を阻止する揺動用当り部（72）と、を備えた請求項１又は２記載の肘掛け装置。
【発明の詳細な説明】
【技術分野】
【０００１】
本発明は、肘掛け装置に関する。
【背景技術】
【０００２】
従来、パチンコ等の遊技機を使用する遊技者の肘を載置するための肘掛け装置は、遊技機側固定部に取着するもの（例えば特許文献１参照）があった。
【先行技術文献】
【特許文献】
【０００３】
【特許文献１】特開２０１１−２３９８７４号公報
【発明の概要】
【発明が解決しようとする課題】
【０００４】
しかし、従来の肘掛け装置は、肘を支持する肘置き部材や、肘置き部材を支持するアーム部材が、手前側へ突出しているため、離席又は着席する場合や、パチンコ玉等の遊技媒体を収納した容器を移動させる場合、或いは、遊技機と遊技機の間から分煙ボードを引き出す（設けた）場合に、邪魔になるといった問題があった。
【０００５】
そこで、本発明は、遊技機側固定部から取り外す必要がなく、肘置き部材とアーム部材を容易かつ迅速に退避可能な使い勝手の良い肘掛け装置の提供を目的とする。
【課題を解決するための手段】
【０００６】
上記目的を達成するために、本発明の肘掛け装置は、遊技機側固定部に取付けられる肘掛け装置に於て、上記遊技機側固定部に固着される取付部材と、使用者が肘を載置する肘置き部材が取着されるアーム部材と、を備え、さらに、上記取付部材に鉛直状軸心廻りに首振自在に枢支される接続部材を備え、該接続部材に上記アーム部材が水平状軸心廻りに揺動自在に枢着されたものである。
また、上記接続部材が所定の首振角度で位置決め可能な首振位置決め手段を備え、上記首振位置決め手段は、上記取付部材及び上記接続部材の一方に設けられ上記鉛直状軸心廻りに配設される複数の首振用凹部と、上記取付部材及び上記接続部材の他方に設けられ上記首振用凹部に係合する首振用凸部と、を備えたものである。
また、上記アーム部が所定の揺動角度で位置決め可能な揺動位置決め手段を備え、上記揺動位置決め手段は、上記アーム部材に上記水平状軸心に廻りに配設される揺動用凹凸部と、上記接続部材に設けられ該揺動用凹凸部に係止して上記アーム部材の手前下方への揺動を阻止する揺動用当り部と、を備えたものである。
【発明の効果】
【０００７】
本発明によれば、アーム部材を上方かつ遊技機側へ揺動させてアーム部材及び肘置き部材を容易かつ迅速に退避させることができる。また、アーム部材及び肘置き部材を左右に首振して、分煙ボードから逃がすことができる。遊技者や遊技場の店員の邪魔にならず、遊技場の運営がスムーズになる。
【図面の簡単な説明】
【０００８】
【図１】本発明の実施の一形態を示す側面図である。
【図２】平面図である。
【図３】要部断面側面図である。
【図４】要部分解平面図である。
【図５】作用を説明するための要部平面図である。
【図６】作用を説明するための要部断面側面図である。
【図７】作用を説明するための要部断面側面図である。
【図８】作用を説明するための要部断面側面図である。
【発明を実施するための形態】
【０００９】
以下、図示の実施形態に基づき本発明を詳説する。
本発明に係る肘掛け装置は、図１乃至図３に示すように、パチンコ機等の遊技機近傍に設けられた遊技機側固定部９に取付けられる樹脂製の扁平型の取付部材１と、遊技者が肘を載置可能な平板型（扁平型）の樹脂製の肘置き部材５と、肘置き部材５が樹脂製の柱部材４を介して取着されるＬ字型の樹脂製のアーム部材３と、を備えている。
【００１０】
そして、図３に示すように、取付部材１の先端（手前部）１ｂ側に、鉛直状軸心Ｌａ廻りに、基端（後部）２ａ側が首振自在に枢支される樹脂製の扁平型の接続部材２を備えている。
さらに、接続部材２の先端（手前部）２ｂ側に、アーム部材３の基端（後部）３ａ側を水平状軸心Ｌｂ廻りに揺動自在に枢着している。
【００１１】
取付部材１の基端（後部）１ａ側は、遊技機側固定部９の水平面状の上面９ａに、図示省略のビス等のネジ部材で固着されている。図示の遊技機側固定部９は、遊技機の下部近傍で遊技者座席側（手前側）へ突出して、パチンコ玉等の遊技媒体を収容した容器、タバコ等の小物、灰皿等を載置可能な水平板状のテーブル板（膳板）である。
【００１２】
図３及び図４に示すように、取付部材１は、先端１ｂ側かつ裏面側に、下方突出状の段付きの枢支軸部11を有している。接続部材２は、基端２ａ側に、段付きの枢支軸孔21を貫設している。
図３に示すように、取付部材１の枢支軸部11を、接続部材２の枢支軸孔21に差し込んで、枢支軸部11に枢支用ネジ部材82を枢支用ワッシャ83を介して下方から螺着して、取付部材１と接続部材２の上下方向の離間を防止して取着している。
枢支軸部11と枢支軸孔21と枢支用ネジ部材82と枢支用ワッシャ83と、は鉛直状軸心Ｌａに同心状に配設している。
そして、図５に示すように、取付部材１に対して接続部材２の先端２ｂ側を鉛直状軸心Ｌａ廻りの左右方向に首振自在としている。
【００１３】
さらに、図３乃至図５に示すように、接続部材２が所定の首振角度αで位置決め可能な首振位置決め手段６を備えている。
首振位置決め手段６は、取付部材１に設けられると共に鉛直状軸心Ｌａ（枢支軸部11の軸心）廻りに配設される複数の首振用凹部61，61，61と、接続部材２に設けられ首振用凹部61に係合（入り込む）首振用凸部62と、を備えている。
【００１４】
首振用凹部61，61，61は、枢支軸部11の近傍に３つ設けている。より具体的には、取付部材１の裏面側に設けられ枢支軸部11に同心円弧状かつ下方突出状の突片壁部12に形成している。平面視で鉛直状軸心Ｌａに向いて開口している。
首振用凸部62は、枢支軸孔21の近傍に配設されている。より具体的には、接続部材２の表て面側に設けられ枢支軸孔21の大径上孔部21ａを包囲する環状壁部22から水平状に突設されている。
そして、首振用凸部62及び突片壁部12の少なくとも一方を、弾性変形可能に設けることで、首振揺動に伴って、首振用凸部62が各首振用凹部61，61，61と係合可能としている。
【００１５】
図２に示すように、３つ並んだ首振用凹部61，61，61の内、真ん中の首振用凹部61（61ａ）に。首振用凸部62が係合する（差し込まれる）ことで、取付部材１の幅方向（左右方向）中心線Ｓ１と、接続部材２の幅方向中心線Ｓ２と、アーム部材３の幅方向中心線Ｓ３と、肘置き部材５の幅方向中心線Ｓ５が、平面視で同一直線状となるように構成している。
【００１６】
そして、図５に示すように、接続部材２を左右一方に首振させると、首振用凸部62が、真ん中の凹部61（61ａ）と左右一方側の凹部61（61ｂ）の間の山部を乗り越えて、左右一方側の首振用凹部61（61ｂ）に係合して、取付部材１の幅方向（左右方向）中心線Ｓ１に対して、接続部材２の幅方向中心線Ｓ２及びアーム部材３の幅方向中心線Ｓ３と図５に於て図示省略の肘置き部材５の幅方向中心線Ｓ５が、平面視で所定の首振角度α（左右一方側への第１揺動角度α１）をもって、左右一方側に寄せて配設されるように構成している。
【００１７】
また、接続部材２を左右他方に首振させると、左右他方側の首振用凹部61（61ｃ）に、首振用凸部62が差し込まれ、取付部材１の幅方向（左右方向）中心線Ｓ１に対して、接続部材２の幅方向中心線Ｓ２及びアーム部材３の幅方向中心線Ｓ３と肘置き部材５の幅方向中心線Ｓ５が、平面視で所定の首振角度α（左右他方側への第２揺動角度α２）をもって、左右他方側に寄せて配設されるように構成している。
【００１８】
つまり、首振位置決め手段６は、図２に示すように、各部材の幅方向中心線が平面視で一直線状となった平面視直線状姿勢と、図５に実線で示す接続部材２とアーム部材３のように、取付部材１の中心線Ｓ１に対して、接続部材２の中心線Ｓ２とアーム部材３の中心線Ｓ３（と図５に於て図示省略の肘置き部材５の中心線Ｓ５）が平面視で第１揺動角度α１をもって左右一方側へ首振した第１首振姿勢と、図５に二点鎖線で示す接続部材２とアーム部材３のように、取付部材１の中心線Ｓ１に対して、接続部材２の中心線Ｓ２とアーム部材３の中心線Ｓ３（と図５に於て図示省略の肘置き部材５の中心線Ｓ５）が平面視で第２揺動角度α２をもって左右他方側へ首振した第２首振姿勢と、の三姿勢に切換自在である（アーム部材３及び肘置き部材５を、鉛直状軸心Ｌａ廻りの三位置に位置決め可能である）。
【００１９】
次に、図２及び図４に示すように、接続部材２は先端２ｂ側に軸状の連結部25を有し、その連結部25の左右両端部に左右外方へ開口した枢着軸孔23，23を設けている。また、アーム部材３は、基端３ａ側に、左右内方に突出する左右一対の枢着軸部32，32を有している。
枢着軸孔23との枢着軸部32の軸心を一致させて（水平状軸心Ｌｂに同心状に配設し）、接続部材２の枢着軸孔23に、アーム部材３の枢着軸部32を差し込んで枢着し、接続部材２に対してアーム部材３を、水平状軸心Ｌｂ廻りの上下方向に揺動自在としている。
【００２０】
さらに、図３乃至図５に示すように、アーム部材３が所定の揺動角度βで位置決め可能な揺動位置決め手段７を備えている。
揺動位置決め手段７は、アーム部材３に水平状軸心Ｌｂ廻りに配設される揺動用凹凸部73と、接続部材２に設けられ揺動用凹凸部73に係止（当接）してアーム部材３の手前下方への降下を阻止する揺動用当り部72と、を備えている。
【００２１】
揺動用凹凸部73は、平面視で左右一対の枢着軸部32，32の間に配設された側面視下方凸型円弧状の舌片部33の上面側（内周面側）に形成されている。揺動用凹凸部73は、水平状軸心Ｌｂ廻りに配設される３つの揺動用凸部74，74，74を有している。
揺動用当り部72は、平面視で連結部25において左右の枢着軸孔23，23の間の部位（連結部中間部位25ａ）から下方突出状（垂下状）に設けている。
【００２２】
また、図３に示すように、アーム部材３が水平状のアーム基準姿勢（肘置き部材５の上面５ｄが水平面状となる肘掛け可能姿勢）で、遊技機側固定部９の上面９ａに当接する支持部39を、アーム部材３の基端３ａ側かつ下面（裏面）側に設けている。
支持部39は、アーム基準姿勢において、アーム部材３の下方への揺動を阻止する（手前下傾状になるのを阻止する）と共に、肘置き部材５にかかる荷重が遊技機側固定部９にかかるように構成している。
【００２３】
そして、アーム部材３を後上方（遊技機側）へ揺動させる、揺動用凹凸部73が水平状軸心Ｌｂ廻りに揺動（移動）して、揺動用当り部72近傍の第１揺動用凸部74ａが揺動用当り部72の下端部に当接し、舌片部33が下方に弾性変形して、図６に示すように、第１揺動用凸部74ａが揺動用当り部72を乗り越えて手前側に移動するように設けている。第１揺動用凸部74ａが揺動用当り部72を乗り越えた後に、アーム部材３を持ち上げる手を離す（アーム部材３への揺動操作力を解除する）とアーム部材３の先端３ｂ側の各部の自重（アーム部材３と柱部材４と肘置き部材５等の荷重）によって、アーム部材３が降下（手前下方へ揺動）しようとして第１揺動用凸部74ａが後方へ揺動しようとした際に、揺動用当り部72に係止（当接）することで、アーム部材３の降下を阻止するように構成している。つまり、アーム部材３が所定の第１揺動角度β１をもって位置決めされる（第１揺動姿勢に保持される）。
【００２４】
ここで、舌片部33はアーム部材３の先端３ｂ側の各部の自重による力（モーメント）では、下方へ弾性変形して逃げないように設けている。そして、遊技者や店員等が、アーム部材３又は肘置き部材５に、各部の自重よりも大きな手前下方への操作力（外力）を付与して、揺動用凸部74が後方側へ揺動し、揺動用当り部72に当接した際に、舌片部33が下方に弾性変形して、揺動用凸部74が揺動用当り部72を乗り越えて後方へ移動し、アーム水平状姿勢となる（復帰する）ように構成している。
揺動角度βは、遊技機側固定部９の上面（固定基準水平面）９ａと、アーム部材３の支持部39の下面（アーム基準面）39ａと、の間の角度を呼ぶ。或いは、基準水平面９ａと肘置き部材５の上面５ｄのなす角度でも良い。
【００２５】
さらに、図６の第１揺動姿勢から、アーム部材３を後上方揺動させると、揺動用凹凸部73が水平状軸心Ｌｂ廻りに揺動して、第２揺動用凸部74ｂが揺動用当り部72に当接し、舌片部33が下方に弾性変形して、第２揺動用凸部74ｂが揺動用当り部72を乗り越えて手前側に移動するように構成している。そして、アーム部材３への操作力を解除すると、アーム部材３が手前下方へ揺動し第２揺動用凸部74ｂが後方へ揺動しようとするが、図７に示すように、第２揺動用凸部74ｂが揺動用当り部72に係止して、アーム部材３の先端３ｂ側の各部の自重を受けて、アーム部材３の降下が阻止され、アーム部材３が所定の第２揺動角度β２をもって位置決めされる（第２揺動姿勢に保持される）ように構成している。
【００２６】
そして、図７の第２揺動姿勢から、さらにアーム部材３を遊技機側へ揺動させると、揺動用凹凸部73が水平状軸心Ｌｂ廻りに揺動して、第３揺動用凸部74ｃが揺動用当り部72に当接し、舌片部33が下方に弾性変形して、第３揺動用凸部74ｃが揺動用当り部72を乗り越えるように構成している。その後、アーム部材３への操作力を解除すると、アーム部材３が手前下方へ揺動し第３揺動用凸部74ｃが後方へ揺動しようとするが、図８に示すように、第３揺動用凸部74ｃが揺動用当り部72に係止して、アーム部材３の先端３ｂ側の各部の自重を、第３揺動用凸部74ｃが揺動用当り部72に当接することで受けて、アーム部材３の降下が阻止され、アーム部材３が所定の第３揺動角度β３をもって位置決めされる（第３揺動姿勢に保持される）ように構成している。
【００２７】
また、図８の第３揺動姿勢（最大揺動姿勢）において、アーム部材３及び肘置き部材５が、遊技機（遊技機の操作部や、ガラス面や、装飾部品等）に接触しないように設けている。つまり、揺動位置決め手段７は、接続部材２の枢着軸孔23近傍に設けたストッパ面26と、アーム部材３の枢着軸部32近傍に設けた当り面36とを備え、アーム部材３の当り面36が、接続部材２のストッパ面26に当接して、アーム部材３の後方（遊技機側）への倒れを阻止するように構成している。
或いは、図示省略するが、揺動用凹凸部73に、最大揺動姿勢で揺動用当り部72が入り込込む凹部又は、揺動用当り部72の後面側に当接する凸部74を設けてアーム部材３の後方（遊技機側）への倒れを阻止するように構成しても良い。
【００２８】
従って、アーム部材３は、水平状姿勢と、第１揺動姿勢と、第２揺動姿勢と、第３揺動姿勢との４段階（複数段階）に上下揺動姿勢を切換自在（四位置に位置決め可能）である。言い換えると、揺動位置決め手段７は、アーム部材３を、アーム基準姿勢から水平状軸心Ｌｂ廻りに上方へ揺動させた退避位置を３段（複数段階）に位置決め可能である。
【００２９】
また、アーム部材３は、平面視で枢着軸部32，32の間に、接続部材２の連結部25に下方から抱き込み状に取着するための側面視下方突出型円弧状の連結用フック部35，35を左右一対有している。平面視で連結用フック部35，35の間に舌片部33を設けている。
【００３０】
また、図３に示すように、柱部材４を、アーム部材３の先端（手前部）３ｂ側に設けた柱差込孔34に上下方向移動自在（スライド自在）に差し込んで、肘置き部材５の高さ位置を調整自在としている。
柱部材４の後面41に上下方向に沿って設けた柱用凹凸部（ラック部）48と、柱差込孔34の内後面34ａに上下方向に沿って形成した孔用凹凸部（ラック部）38と、設け、肘置き部材５が所望の高さとなる位置で係合（噛合）させ、アーム部材３の手前壁部37に螺着した押さえネジ部材84で、柱部材４を後方へ押さえ付けて、孔用凹凸部38と柱用凹凸部48との噛合状態を保持し、肘置き部材５の上下高さ位置を所定の高さ位置（遊技者の所望の高さ位置）で、上下複数段に位置決め可能としている。つまり、図示の実施形態は、上下５段階（複数段階）に調整自在としている。
【００３１】
また、図１に実線と二点鎖線で示すように、肘置き部材５は、柱部材４の上部に前後方向スライド自在（前後水平移動自在）に設けている。
柱部材４は、図示省略するが上部に横断面Ｔ字状のガイド部を設けている。
そして、肘置き部材５の裏面側に下方突出状のスライド用壁部を左右一対設け、さらに、左右スライド用壁部を下端縁部から切り欠いて左右揺動状に弾性変形可能な舌状弾性片部を設け、その舌状弾性片部から左右内方突出状に係止凸部を設けている。この係止凸部と、肘置き部材５の上壁部と、左右スライド用壁部と、によって形成された蟻溝状の短案内溝を、前後方向所定間隔毎に、かつ、前後方向に連通させて複数設けて、前後方向に断続的な案内溝部を形成し、この案内溝部に柱部材４のガイド部を係合させて前後方向スライド自在に設けている。
このように設けることで、柱部材４のガイド部と、肘置き部材５の裏面側の係止凸部とを相互に押圧させることで、舌状弾性片部が左右外方へ開いて、左右スライド用壁部の間に柱部材４のガイド部が配設され、その後舌状弾性片部が弾性力で復元して、係止凸部で抜けが防止され工具不要で取着可能としている。
【００３２】
また、図１乃至図３に示すように、アーム部材３の手前壁部37の下部に、水平状枢着軸心Ｌｃ廻りに揺動自在なフック部材８を付設している。
フック部材８は、図示省略のねじりコイルバネ部材によって、常時（鉛直）起立状姿勢に弾発付勢されている。そして、図３に示すように、遊技者が指等で手前に引くように傾動させた状態で、携帯電話等の小物を吊り下げ可能としている。小物からの荷重は、フック部材８の下部に設けたストッパ部88が、水平状枢着軸心Ｌｃ近傍に設けた（アーム部材３の手前壁部37と一体状の）当り部31に当接して受け、フック部材８が所定の傾動角度を越えて手前下方へ揺動しないように設けている。
【００３３】
また、取付部材１は、遊技機側固定部９に固着される樹脂製の固着取付部材18と、接続部材２が枢結される樹脂製の連結取付部材19と、を固定用ネジ部材81によって取着して一体状としたものである。このように設けることで、予め、連結取付部材19と接続部材２とアーム部材３と柱部材４と肘置き部材５を組み立てて肘掛けユニットを製作し、遊技機側固定部９に、固着取付部材18のみを固着し、その後、肘置きユニットの連結取付部材19を、固定用ネジ部材81によって固着取付部材18に固着すれば、遊技機側固定部９への取着作業を容易かつ迅速に行うことができる。
また、図示省略したが、肘置き部材５の上面５ｄに、肘滑り止め用のゴム製マット部材を貼着している。
【００３４】
次に、本発明の肘掛け装置の使用方法（作用）について説明する。
図１及び図３のアーム基準姿勢で、肘置き部材５は、遊技者の体格や姿勢に応じて、遊技者の所望の前後位置にスライドできると共に、柱部材４を上下方向に移動させて肘置き部材５の高さ位置を調整でき、遊技者の疲れを軽減でき、長時間の遊技を可能にする。
【００３５】
さらに、アーム部材３を鉛直状軸心Ｌａ廻りに首振りさせることで、遊技者の左右隣に、分煙ボードがあっても（引き出されても）、肘置き部材５や肘置き部材５に載置した遊技者の腕（肘）等が接触するのを防げる。
また、左右に障害物がない場合でも、遊技者の遊技姿勢に適した、疲れにくい（操作しやすい）左右首振位置に、肘置き部材５を移動・固定できる。
即ち、肘置き部材５の位置を、前後、左右、上下に調整でき、様々な遊技者の姿勢に対応が可能である。
【００３６】
そして、アーム部材３を図６の第１揺動姿勢や図７の第２揺動姿勢とすることで、座席から離席する場合や、座席に着席する場合、或いは、遊技機側固定部９の清掃を行う場合に対応可能な十分な退避位置となる。また、水平状姿勢への復帰をより迅速に行うことが可能となる。
また、パチンコ玉等の遊技媒体を収納した容器を移動させる場合に、図８の第３揺動姿勢（最大揺動姿勢）にまで揺動させ、十分にアーム部材３を逃がすことができ、遊技媒体が収納された容器を搬送する際、遊技媒体をこぼすことなく、容易かつスムーズに行える。このように、必要に応じて、アーム部材３の揺動停止位置（揺動退避位置）を切り換え、使い勝手が良い。
【００３７】
なお、本発明は、設計変更可能であって、取付部材１に首振用凸部62を設け、接続部材２に首振り用凹部61を設けても良い。取付部材１と接続部材２の枢支構造は図示以外の構造でも良く、例えば、取付部材１に枢支軸孔21を設け、接続部材２に枢支軸部11を上方突出状に設けても良い。また、接続部材２とアーム部材３の枢着構造は図示以外の構造でも良く、例えば、接続部材２に枢着軸部32を左右外方突出状に設け、アーム部材３に枢着軸孔23を設けても良い。
なお、図１及び図３のアーム水平状姿勢、かつ、図２の平面視直線状姿勢の場合を基準姿勢とし、その基準姿勢の状態で、遊技機側を後方又は基端側と呼んで方向を説明している。
【００３８】
以上のように、本発明の肘掛け装置は、遊技機側固定部９に取付けられる肘掛け装置に於て、遊技機側固定部９に固着される取付部材１と、使用者の肘が載置される肘置き部材５が取着されるアーム部材３と、を備え、さらに、取付部材１に鉛直状軸心Ｌａ廻りに首振自在に枢支される接続部材２を備え、接続部材２にアーム部材３が水平状軸心Ｌｂ廻りに揺動自在に枢着されたので、着席する場合や離席する場合、パチンコ玉等の遊技媒体を収納した容器を移動させる場合、或いは清掃作業や保守作業の場合に、アーム部材３を上方へはね上げるように揺動してアーム部材３及び肘置き部材５を容易かつ迅速に遊技機側へ退避させることができる。また、分煙ボードから、アーム部材３及び肘置き部材５を左右に首振して逃がすことができる。遊技場の店員が肘掛け装置を頻繁に着脱する必要がなく、店員の負担が軽減され、遊技場の運営を効率良くスムーズに行うことができる。また、遊技者の脇腹から肘置き部材５を左右外方へ離して、又は、脇腹に寄せて配設することができる。
【００３９】
また、接続部材２が所定の首振角度αで位置決め可能な首振位置決め手段６を備え、首振位置決め手段６は、取付部材１及び接続部材２の一方に設けられ鉛直状軸心Ｌａ廻りに配設される複数の首振用凹部61，61，61と、取付部材１及び接続部材２の他方に設けられ首振用凹部61に係合する首振用凸部62と、を備えたので、アーム部材３及び肘置き部材５の位置を、鉛直状軸心Ｌａ廻りに複数段階に切り換えて固定でき、遊技者が肘を置いても首振位置がズレず、肘を安定支持できる。分煙ボード等周囲の環境に迅速かつ容易に対応できる。着席や離席の際に遊技者と接触しないように首振位置を変更位置決めできる。
【００４０】
また、上記アーム部３が所定の揺動角度βで位置決め可能な揺動位置決め手段７を備え、揺動位置決め手段７は、アーム部材３に水平状軸心Ｌｂに廻りに配設される揺動用凹凸部73と、接続部材２に設けられ揺動用凹凸部73に係止してアーム部材３の手前下方への揺動を阻止する揺動用当り部72と、を備えたので、アーム部材３を上方揺動させた後、手を離しても自重で手前下方へ揺動せず、着席や離席、遊技媒体収納容器の移動や清掃を容易かつスムーズに行うことができる。必要に応じて遊技機側へ退避させる姿勢（逃がし量）を切換かえるこができ、使い勝手が良い。
【符号の説明】
【００４１】
１  取付部材
２  接続部材
３  アーム部材
５  肘置き部材
６  首振位置決め手段
７  揺動位置決め手段
９  遊技機側固定部
61  首振用凹部
62  首振用凸部
72  揺動用当り部
73  揺動用凹凸部
Ｌａ  鉛直状軸心
Ｌｂ  水平状軸心
α  首振角度
β  揺動角度
【図１】
2015029514.tif 000003
【図２】
2015029514.tif 000004
【図３】
2015029514.tif 000005
【図４】
2015029514.tif 000006
【図５】
2015029514.tif 000007
【図６】
2015029514.tif 000008
【図７】
2015029514.tif 000009
【図８】
2015029514.tif 000010